(57)【要約】    【課題】リール帯のリール体に対する装着を容易にでき、回転リールを容易且つ能率的に製作できるようにする。    【解決手段】遊技図柄５３が表示されたリール帯６３をリール体６２の外周に有する回転リール４９において、検出手段５２によりその外周の検出部６６を検出して回転リール４９の回転位置を把握するに当たって、検出部６６をリール帯６３の外周に印刷により形成する。リール体６２及びリール帯６３が光透過性を有する場合、そのリール帯６３に形成された検出部６６と、この検出部６６以外の非検出部６７との何れか一方は光透過性を有するものがよい。【選択図】図１０
2012034990.tif 000002
【特許請求の範囲】
【請求項１】
遊技図柄が表示されたリール帯をリール体の外周に有する回転リールと、該回転リールに設けられた検出部と、該検出部を検出する検出手段とを備えた遊技機において、前記リール帯に前記検出部を設けたことを特徴とする遊技機。
【請求項２】
前記検出部は前記リール帯に印刷により形成したことを特徴とする請求項１に記載の遊技機。
【請求項３】
前記リール体及び前記リール帯は光透過性を有し、前記リール帯の幅方向の端部に周方向に配置された前記検出部と該検出部以外の非検出部との何れか一方が光透過性を有することを特徴とする請求項１又は２に記載の遊技機。
【請求項４】
前記検出部は光透過性を有し、前記検出手段は光の透過光により前記検出部を検出することを特徴とする請求項３に記載の遊技機。
【請求項５】
前記検出部は遮光性を有し、前記検出手段は光の遮光により前記検出部を検出することを特徴とする請求項３に記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機、スロットマシン等の遊技機には、外周に複数の遊技図柄が周方向に所定間隔をおいて表示された回転リールを含むリールユニットを１個又は複数個備えたものがある。この種の遊技機は、遊技毎に又は遊技中に１個又は複数個の回転リールを回転させておき、その後の停止操作等の停止指令により回転リールを停止させたときに、表示窓に停止表示される遊技図柄の種類又は組み合わせ態様により、そのときの遊技状態を演出したり、或いは遊技者に有利な利益状態を発生させたりするようにしている。
【０００３】
回転リールはリール骨組み等の合成樹脂製のリール体の外周に、周方向に所定間隔をおいて複数の遊技図柄が表示されたシート状のリール帯を貼着したものが使用されている。また回転リールにはリール体のフォーク部の内側に板状の検出部が設けられ、その検出部を光学式の検出手段により検出するようにしている（特許文献１）。
【先行技術文献】
【特許文献】
【０００４】
【特許文献１】特開２００３−９３５７６号公報
【発明の概要】
【発明が解決しようとする課題】
【０００５】
回転中の回転リールの停止制御に際しては、検出手段により検出部を検出して、その検出位置からの回転リールの回転角度を演算しながら所定の遊技図柄が表示窓に対応するように回転リールを停止させている。
【０００６】
しかし、従来の回転リールはリール体に検出部があるため、その製作が煩わしく作業能率が低下する欠点がある。即ち、従来の回転リールでは、リール体の外周に微少突起とリール帯の位置合わせ用の目印とを合わせて、リール体の検出部とリール帯の遊技図柄との位置関係を一定に保つようにしている。このため製作時には、リール帯の目印をリール体の微少突起に合わせながらリール帯をリール体の外周に貼り付ける必要があり、リール帯の貼り付け作業が非常に煩わしくなるという欠点がある。
【０００７】
本発明は、このような従来の課題に鑑み、リール帯のリール体に対する装着を容易にでき、回転リールを容易且つ能率的に製作できる遊技機を提供することを目的とする。
【課題を解決するための手段】
【０００８】
本発明は、遊技図柄が表示されたリール帯をリール体の外周に有する回転リールと、該回転リールに設けられた検出部と、該検出部を検出する検出手段とを備えた遊技機において、前記リール帯に前記検出部を設けたものである。
【０００９】
前記検出部は前記リール帯に印刷により形成してもよい。また前記リール体及び前記リール帯は光透過性を有し、前記リール帯の幅方向の端部に周方向に配置された前記検出部と該検出部以外の非検出部との何れか一方が光透過性を有するものでもよい。
【００１０】
また前記検出部は光透過性を有し、前記検出手段は光の透過光により前記検出部を検出するようにしてもよい。更に前記検出部は遮光性を有し、前記検出手段は光の遮光により前記検出部を検出するようにしてもよい。
【発明の効果】
【００１１】
本発明によれば、リール帯のリール体に対する装着を容易にでき、回転リールを容易且つ能率的に製作できる利点がある。
【図面の簡単な説明】
【００１２】
【図１】本発明の第１の実施形態を示すパチンコ機の全体正面図である。
【図２】同遊技盤の正面図である。
【図３】同回転表示手段の斜視図である。
【図４】同回転表示手段の正面図である。
【図５】同回転表示手段の正面断面図である。
【図６】同回転表示手段の平面断面図である。
【図７】同回転リール、照明手段の分解斜視図である。
【図８】同回転表示手段の中央部の縦断面図である。
【図９】同回転表示手段の回転リール部の縦断面図である。
【図１０】同リール帯の展開図である。
【図１１】同検出手段部分の断面図である。
【図１２】本発明の第２の実施形態を示すリール帯の展開図である。
【図１３】同検出手段部分の断面図である。
【図１４】本発明の第３の実施形態を示すリール帯の平面図である。
【図１５】同検出手段部分の断面図である。
【図１６】本発明の第４の実施形態を示す検出手段部分の断面図である。
【図１７】同リール帯の平面図である。
【図１８】本発明の第５の実施形態を示す回転リールの側面断面図である。
【図１９】同リール体、リール帯の正面断面図である。
【図２０】本発明の第６の実施形態を示す回転リールの側面図である。
【図２１】本発明の第７の実施形態を示すリール帯の展開図である。
【図２２】本発明の第８の実施形態を示すリール帯の展開図である。
【発明を実施するための形態】
【００１３】
以下、本発明の実施形態を図面に基づいて詳述する。図１〜図１１は本発明をパチンコ機に採用した第１の実施形態を例示している。図１において、遊技機本体１は、矩形状の外枠２と、この外枠２にヒンジ３を介して縦軸心廻りに開閉及び着脱自在に枢着された前枠４とを備えている。
【００１４】
前枠４には上部側に遊技盤５（図２参照）等が、下部側に発射手段６等が夫々配置されている。前枠４の前側には遊技盤５の前側を覆うガラス扉７と、ガラス扉７の下側で発射手段６等の前側を覆う下部開閉扉８とがヒンジ３と同じ側のヒンジ９により開閉及び着脱自在に枢着されている。
【００１５】
ガラス扉７には遊技盤５の前面側の遊技領域１０に対応するガラス窓１１が設けられている。下部開閉扉８には払い出し手段（図示省略）から払い出された遊技球を貯留して発射手段６に供給する上皿１２と、上皿１２の遊技球が満杯のときに余剰球を貯留する下皿１３と、発射手段６を作動させるために操作する発射ハンドル１４とが設けられている。上皿１２の周縁部には二種類のチャンスボタン１５，１６が設けられている。
【００１６】
遊技盤５の前面には、図２に示すようにガイドレール１８が装着されている。このガイドレール１８は遊技領域１０の外周に略円環状に配置されており、その左側が発射手段６から発射された遊技球を遊技領域１０側に案内する発射球誘導路１９となっている。
【００１７】
遊技領域１０内には略中央に画像表示手段２１が配置され、画像表示手段２１の前側に中央ユニット２２が、その下側に下部ユニット２３が夫々配置されている。中央ユニット２２は遊技盤５の前面に固定された前面装着板２４と、画像表示手段２１の表示画面２１ａを取り囲む表示枠部２５とを一体に備えている。
【００１８】
表示枠部２５はその略全体が前面装着板２４から前側に突出しており、内側の画像表示手段２１側への遊技球の侵入を阻止するようになっている。このため発射手段６により遊技領域１０の上部側に打ち込まれた遊技球は、表示枠部２５の外周に沿って画像表示手段２１の右側又は左側を流下する。
【００１９】
表示枠部２５には普通図柄表示手段２７、第１特別図柄表示手段２８ａ、第２特別図柄表示手段２８ｂ等の特別図柄表示手段２８ａ，２８ｂが設けられる他、画像表示手段２１の前側下部に落下口２９、ステージ３０が設けられており、表示枠部２５の左側部の入球口３１から入球した遊技球を落下口２９、ステージ３０の何れかを経て下方に落下させるようになっている。
【００２０】
更に中央ユニット２２の右側部には、前面装着板２４の前側に普通図柄始動手段３２と第２特別図柄始動手段３３ｂとが上下に配置されている。普通図柄始動手段３２は普通図柄表示手段２７による図柄変動を開始させるためのもので、この普通図柄始動手段３２が遊技球を検出することに基づいて普通図柄表示手段２７が所定時間変動するようになっている。
【００２１】
第２特別図柄始動手段３３ｂは、第２特別図柄表示手段２８ｂによる図柄変動を開始させるためのもので、開閉作動式入賞手段により構成されており、普通図柄表示手段２７の変動後の停止図柄が当たり態様となったときに、複数種類の開閉パターンの何れかに従って開状態になる。そして、この第２特別図柄始動手段３３ｂの遊技球の検出に基づいて第２特別図柄表示手段２８ｂが所定時間変動するようになっている。
【００２２】
なお、第２特別図柄始動手段３３ｂの開閉パターンとして、通常開閉パターン（例えば０．２秒×１回開放）と、この通常開閉パターンよりも開放時間及び／又は開放回数が大となるように設定された延長開閉パターン（例えば２秒×３回開放）の２種類の開閉パターンが設定されており、後述する特別遊技状態中は延長開閉パターンが、それ以外の通常遊技状態中は通常開閉パターンが選択されるようになっているものとする。
【００２３】
下部ユニット２３は、遊技領域１０の下部で遊技盤５の前面に装着された演出用の回転表示手段３５と、この回転表示手段３５の左右両側で遊技盤５の前面に固定された前面装着板３６と、右側の前面装着板３６に設けられた大入賞手段３７と、左右の前面装着板３６に設けられた複数個の普通入賞手段３８とを有し、回転表示手段３５の略中央に第１特別図柄始動手段３３ａが設けられている。
【００２４】
第１特別図柄始動手段３３ａは、第１特別図柄表示手段２８ａによる図柄変動を開始させるためのもので、開閉しない非作動式入賞手段により構成されており、この第１特別図柄始動手段３３ａの遊技球の検出に基づいて第１特別図柄表示手段２８ａが所定時間変動するようになっている。なお、第１特別図柄始動手段３３ａは落下口２９の下側で上向きに開口しており、落下口２９、ステージ３０から落下した遊技球が高い確率で入賞するようになっている。
【００２５】
大入賞手段３７は入賞口４０を開閉する開閉板４１を備えた作動式入賞手段で、特別図柄表示手段２８ａ，２８ｂの変動後の停止図柄が大当たり態様となって特別利益状態が発生したときに、開閉板４１が複数種類の開放パターンのうちの何れかに従って開放するようになっている。なお、大入賞手段３７は開閉板４１が前側に開いた開状態のときにその上側に落下してきた遊技球を入賞口４０内へと案内し、閉状態のときには開閉板４１が入賞口４０を閉鎖して遊技球の入賞を阻止するようになっている。
【００２６】
回転表示手段３５は、図３〜図９に示すように支持枠４３と、この支持枠４３の裏側に装着された左右一対のリールユニット４４と、各リールユニット４４に対応して支持枠４３の前面に装着された左右一対の表示カバー４５とを有し、左右の表示カバー４５間から左右のリールユニット４４間に跨がって第１特別図柄始動手段３３ａが設けられている。支持枠４３は各リールユニット４４に対応する開口４６を有し、また支持枠４３の前面には前側に突出して表示窓４７を構成する表示カバー４５が開口４６を塞ぐように装着されている。
【００２７】
各リールユニット４４は保持ケース４８と、保持ケース４８内に横軸心廻りに回転自在に配置された回転リール４９と、回転リール４９を駆動する駆動モータ５０と、表示窓４７側の回転リール４９を内周側から照明する照明手段５１と、回転リール４９の回転位置を光学的に検出する検出手段５２とを有し、回転・停止によるリール演出時に、図外の演出制御手段により制御されて、回転リール４９の外周の複数個の遊技図柄５３の何れかが表示窓４７に対応するように停止する。
【００２８】
各保持ケース４８は回転リール４９を裏側から覆う外周壁５４と、この外周壁５４の左右方向の外側に一体に形成された側壁５５と、側壁５５から左右方向の内側へと凹入状に一体に形成された保持壁５６と、保持壁５６の左右方向の凹入端に一体に形成された取り付け壁５７とを有し、左右の外周壁５４の側壁５５と反対側には、両者間に遊技球の落下用の縦通路５８を形成する隔壁５９が装着されている。保持壁５６の内側には駆動モータ５０が配置され、取り付け壁５７を介して保持ケース４８に固定されている。駆動モータ５０はステッピングモータ等により構成され、その回転軸６０が取り付け壁５７を貫通して左右方向の内向きに突出している。
回転リール４９は保持ケース４８の外周壁５４と保持壁５６との間に配置された円筒状のリール体６２と、リール体６２の外周に周方向に巻き付けて装着されたリール帯６３とを有し、そのリール帯６３に周方向に等間隔をおいて複数個の遊技図柄５３（図１０参照）が印刷等により表示されている。リール体６２は隔壁５９側の内周に支持部６４を一体に備え、その支持部６４の略中心部に一体に形成されたハブ部６５を介して、駆動モータ５０の回転軸６０に着脱自在に固定されている。
【００２９】
なお、リール体６２にはその軸心方向の一端側の外周、例えば支持部６４側の外周に突条６２ａが周方向に形成されており、リール体６２の外周にリール帯６３を巻き付けて接着等を行う際に、リール帯６３の端縁を突条６２ａに突き合わせて巻き付ければよい。
【００３０】
回転リール４９の前部側は支持枠４３の開口４６から前側に突出しており、その突出部分に近接して表示カバー４５が設けられている。表示カバー４５は回転軸６０から下側が回転リール４９に沿って円弧状に形成され、上側が第１特別図柄始動手段３３ａの前面側へと略真っ直ぐに延びている。回転リール４９は合成樹脂製であって、光透過性を有する透明な合成樹脂材により一体に構成されている。なお、支持部６４は円板状でもよいし、フォーク状でもよい。
【００３１】
検出手段５２は図６、図１１に示すようにリール体６２、リール帯６３の幅方向の一端縁を挟んで配置された発光素子６９と受光素子７０とを備えた光透過式である。検出手段５２の発光素子６９と受光素子７０はコ字状等の支持体７１に設けられている。支持体７１は表示窓４７側を除く位置、例えば保持ケース４８の側壁５５等に取り付けられている。
【００３２】
リール帯６３は光透過性を有し、透明な合成樹脂製のシート材により構成され、リール体６２の外周面に接着、粘着等の適宜貼着手段により貼着されている。リール帯６３には図１０に示すように、幅方向の略中央部に周方向に略等間隔をおいて複数種類の遊技図柄５３が所定の順序で表示されると共に、その幅方向の一端部に、光学式の検出手段５２の検出対象である検出部６６が印刷により形成されている。遊技図柄５３は照明手段５１による照明により明るく発光するものであればよい。検出部６６は光透過性を有し、リール帯６３の周方向の一部に設けられ、検出部６６以外の周方向の全周が遮光性を有する非検出部６７となっている。
【００３３】
光透過式の検出手段５２の場合には、リール帯６３の検出部６６は発光素子６９から受光素子７０へと光を透過し、非検出部６７では発光素子６９からの光を遮光すればよい。従って、リール帯６３の幅方向の一端部側の検出部６６以外の部分を遮光性インクにより周方向に帯状に印刷して非検出部６７を形成することにより、その印刷によって相対的に検出部６６を形成することができる。
【００３４】
なお、この非検出部６７は、リール帯６３に遊技図柄５３を印刷するときに同時に印刷するか、その印刷工程に連続して行えばよい。非検出部６７は遮光性インク以外の遮光性塗料、その他の適宜遮光性を有する塗工材を塗工することにより形成してもよい。
【００３５】
照明手段５１は図６、図７、図９に示すように、外周に表示窓４７に対応する周壁７３を有する支持板７４と、支持板７４に基板７５を介して取り付けられた発光素子７６と、発光素子７６の前側に回転リール４９に沿って円弧状に配置され且つ支持板７４に着脱自在に取り付けられた拡散板７７とを備え、表示窓４７に対応する回転リール４９の遊技図柄５３を内周側から照明するようになっている。支持板７４は側壁５５に固定されている。支持板７４は周壁７３の上下に左右方向に１個又は複数個の挿入孔７９を有する。拡散板７７は上下の突出片７８が周壁７３の上下の挿入孔７９に挿入され、左右両側が支持板７４の周壁７３の左右に前面から当接している。
【００３６】
第１特別図柄始動手段３３ａは左右の表示カバー４５間で支持枠４３に前面から装着された入賞口カバー８０を有し、この入賞口カバー８０と支持枠４３との間に上向きに設けられている。第１特別図柄始動手段３３ａは、支持枠４３の裏側で左右の保持ケース４８間に後向きに形成された誘導通路８１を経て、誘導通路８１の後端から下向きに延びる縦通路５８へと連通し、縦通路５８の上部側に球検出スイッチ８２が設けられている。
【００３７】
左右の表示カバー４５間で第１特別図柄始動手段３３ａの下側には、支持枠４３の前面に円弧状の発光カバー８３が装着され、この発光カバー８３の裏側に、発光素子８４を有する発光基板８５が縦通路５８の前側で隔壁５９間に固定されている。支持枠４３には発光基板８５に対応して開口８６が設けられ、また発光基板８５の前には、発光基板８５を前側から覆う保護壁８７が隔壁５９と一体に設けられている。なお、隔壁５９、発光カバー８３は光透過性を有する。
【００３８】
なお、大入賞手段３７の開放パターンには、例えば遊技球の入賞が困難な第１開放パターン（例えば０．２秒開放×２ラウンド）と、遊技球の入賞が容易な第２開放パターン（２８秒開放又は９個入賞まで×１５ラウンド）とがあり、遊技者に有利な第２開放パターンが選択される確率は、第１特別図柄表示手段２８ａで大当たり態様となるよりも、第２特別図柄表示手段２８ｂで大当たり態様となった場合の方が高く設定されている。
【００３９】
このような構成の回転表示手段３５は、遊技中の遊技状態の変化に応じてなされる各種の演出に使用される。例えば、特別図柄始動手段３３ａ，３３ｂの遊技球の検出に基づいて開始される遊技において、特別図柄表示手段２８ａ，２８ｂの変動後の特別図柄が大当たり態様となる確率の高い変動パターンを抽選した場合に、特別図柄表示手段２８ａ，２８ｂの特別図柄が変動する一方、その変動中に画像表示手段２１にチャンスタイム等の表示が現れたときに、その表示中にチャンスボタン１６を操作すれば、回転表示手段３５の各回転リール４９が所定時間回転し、その後に回転リール４９が停止して表示窓４７に表示される遊技図柄５３の組み合わせによって、特別図柄の停止後の大当たり態様の出現、それに続く特別利益状態の発生等の予告演出等を行う。
【００４０】
回転表示手段３５において、各回転リール４９が回転すると、その回転に伴って表示窓４７に表示される遊技図柄５３が順次変化する。そして、回転リール４９の回転中は常時又は必要に応じて検出手段５２が回転リール４９の検出部６６を検出することにより、回転リール４９の回転位置を把握する。検出手段５２は発光素子６９が発光するが、非検出部６７が検出手段５２に対応している間は、その光が非検出部６７により遮光されるので、受光素子７０は受光しない。そして、検出手段５２に検出部６６が対応すれば、発光素子６９からの光が検出部６６のリール帯６３、リール体６２を透過するため、受光素子７０が受光することにより、検出手段５２が検出部６６を検出する。
【００４１】
この検出部６６はリール帯６３の幅方向の一端に設けているので、リール帯６３に付された遊技図柄５３と検出部６６との位置関係は常に一定であり、リール帯６３をリール体６２に貼り付ける際に、リール体６２側の特定の位置にリール帯６３を合わせる必要がなく、リール体６２の外周にリール帯６３を貼り付ければよい。従って、従来に比較してリール体６２に対するリール帯６３の貼り付けが非常に容易であり、作業能率が向上するので、低コストで高精度の回転リール４９を製作することができる。またリール帯６３に検出部６６を印刷により設けているので、遊技図柄５３の印刷時に検出部６６を形成することが可能であり、リール帯６３の製作工数の増加等によるコストアップを防止できる。
【００４２】
またリール体６２及びリール帯６３の検出部６６が光透過性を有する透明又は半透明な材料により構成されているので、リール帯６３の検出部６６側でもリール体６２によって支持することができ、検出部６６の損傷を極力防止することができる。
【００４３】
更に各保持ケース４８内は外周壁５４、側壁５５、保持壁５６、取り付け壁５７及び側壁５５により囲まれた閉塞空間となっており、その閉塞空間に回転リール４９が回転自在に配置されているで、開放空間に配置する場合に比較してリール帯６３の検出部６６、非検出部６７に汚れが付き難く、汚れによる検出手段５２での誤検出を防止できる。
【００４４】
また保持壁５６内の駆動モータ５０はその一端側の取り付け壁５７に固定されており、保持壁５６の他端側が開放しているため、回転リール４９が閉塞空間内にあるにも拘わらず、駆動モータ５０の熱のこもり等を防止できる。
【００４５】
保持壁５６は図６、図９に示すように前側が偏平状であり、この保持壁５６内の駆動モータ５０を回転軸６０に対して後側に偏心させて配置し、保持壁５６の偏平部分の前側の閉塞空間内に照明手段５１を配置することにより、全体をコンパクト化できると共に、照明手段５１の汚れ等も防止できる。なお、閉塞空間は完全に密閉されたものでもよいが、検出手段５２の配置箇所等の適当箇所が一部開口している。
【００４６】
図１２及び図１３は本発明の第２の実施形態を例示する。この実施形態では、リール体６２及びリール帯６３は透明その他の光透過性を有する合成樹脂製であって、そのリール帯６３の幅方向の一端部に、遮光性を有する検出部６６と、光透過性を有する非検出部６７とが周方向に設けられている。検出部６６は遮光性インクの印刷、遮光性塗料の塗工等により形成されている。
【００４７】
なお、検出手段５２はリール体６２の幅方向の一端縁を挟んで配置された発光素子６９と受光素子７０とを有し、発光素子６９から受光素子７０に入る光が検出部６６によって遮光されたときに検出出力が出るように構成されている。
【００４８】
このように検出部６６が光を遮光したときに検出出力が出るタイプの検出手段５２を使用する場合には、遮光性インクの印刷等により検出部６６に遮光性を持たせることにより、第１の実施形態と同様の効果を得ることができる。またリール帯６３の周方向の略全周を占める非検出部６７は印刷等の処理をする必要がなく、その非検出部６７を除く検出部６６に印刷等の遮光処理を行えばよいので、印刷等の遮光処理の範囲を少なくできる利点がある。
【００４９】
図１４及び図１５は本発明の第３の実施形態を例示する。この実施形態では、リール帯６３に貼着された遮光小片９０により検出部６６が構成されている。例えば、遮光性を有する検出部６６を設ける場合には、図１４に示すようにリール帯６３に遊技図柄５３を印刷するときに、検出部６６を配置すべき箇所に目印９１を同時に印刷しておく。そして、図１４、図１５に二点鎖線で示すように、その目印９１に合わせてリール帯６３に遮光小片９０を接着剤９２又は粘着剤等で貼着して、その遮光小片９０により検出部６６を構成する。
【００５０】
なお、目印９１は検出部６６の中央に１個設けてもよいが、検出部６６の幅の両側に設ける等、遮光小片９０の貼着位置を正確に判断できるようにすることが望ましい。
【００５１】
この場合にも、リール帯６３をリール体６２に装着する際に、リール帯６３とリール体６２との特定の箇所同士を合わせながら、リール帯６３をリール体６２の外周に巻き付けて行く必要はなく、回転リール４９の製作を容易に行うことができる。また遮光小片９０のリール帯６３に対する貼着は、リール帯６３をリール体６２に装着する装着前、装着後の何れでもよい。
【００５２】
図１６及び図１７は本発明の第４の実施形態を例示する。この実施形態では、リール帯６３の幅方向の一端から外方に突出するように検出部６６が設けられている。この検出部６６はリール帯６３に遮光小片９０を貼付することにより構成されている。このように検出部６６はリール帯６３から幅方向の外側に突出するように設けてもよい。その場合、検出部６６は遮光小片９０を貼着して構成するか、リール帯６３と一体に設けてもよい。
【００５３】
図１８及び図１９は本発明の第５の実施形態を例示する。この実施形態では、リール帯６３の幅方向の略中央部に、遊技図柄５３に対応して凹凸部９４が形成されており、遊技図柄５３が立体的に表示されている。またリール帯６３の幅方向の一端部に検出部６６が突出状に形成され、この検出部６６を除く非検出部６７は平滑状になっている。
【００５４】
検出手段５２は発信子９５と受信子９６とを有する超音波反射式であって、平滑状の非検出部６７では発信子９５から発信された超音波を受信子９６が受信するように反射し、突出状の検出部６６では発信子９５から発信された超音波を受信子９６が受信しないように乱反射する。そして、検出手段５２は受信子９６が超音波を受信しないときに検出出力を出すようになっている。
【００５５】
この場合には、遊技図柄５３の表示部分の凹凸部９４の加工時に凸状の検出部６６を形成することによって、遊技図柄５３側と検出部６６との位置関係が周方向にズレる等の問題もないので、第１の実施形態と同様に回転リール４９を容易且つ安価に製作することができる。なお、検出部６６は凸状の他、凹状、凹凸状に形成してもよい。
【００５６】
図２０は本発明の第６の実施形態を例示する。この実施形態では、リール帯６３には各実施形態と同様に略中央部に各遊技図柄５３が印刷されると共に、幅方向の一端部に検出部６６が磁気インクにより印刷されている。検出手段５２には磁気インクによる検出部６６を無接触により検出するように磁気感応型のものが使用されている。
【００５７】
このようにリール帯６３の検出部６６を磁気インクにより印刷し、検出手段５２に磁気感応型のものを使用してもよい。この場合には遊技図柄５３の印刷に使用するインクとは異なる磁気インクにより検出部６６を印刷するが、遊技図柄５３の印刷と検出部６６の印刷とを同時又は連続する印刷工程で処理することが可能である。なお、磁性片、鉄片等をリール帯６３に貼着して検出部６６を構成することも可能である。
【００５８】
図２１は本発明の第７の実施形態を例示する。この実施形態の検出部６６には、リール体６２の周方向の特定箇所に配置された基準検出部６６ａと、各遊技図柄５３に対応して配置された図柄対応検出部６６ｂとがあり、その基準検出部６６ａ及び図柄対応検出部６６ｂがリール帯６３の幅方向の一端部に周方向に印刷等により設けられている。
【００５９】
リール帯６３に印刷により検出部６６を設ける場合、このように基準検出部６６ａと図柄対応検出部６６ｂとを含む複数個の検出部６６を周方向に設けることも容易にできる。そして、この場合には、例えば回転リール４９の回転中に停止予定の遊技図柄５３が決まれば、基準検出部６６ａからその遊技図柄５３までの図柄数を演算し、検出手段５２が基準検出部６６ａを検出した後、各図柄対応検出部６６ｂを検出する毎に図柄数を計数しながら速度を減速しつつ停止させることもできる。なお、基準検出部６６ａ、図柄対応検出部６６ｂは透過式、遮光式、反射式の何れでもよい。
【００６０】
図２２は本発明の第８の実施形態を例示する。この実施形態では各遊技図柄５３に対応して、各遊技図柄５３を識別可能に構成されたコード式の固有検出部６６ｃが印刷されている。この場合には、検出手段５２で固有検出部６６ｃの上方を読み取りながら、停止予定の遊技図柄５３が表示窓４７に対応したときに回転リール４９を停止させる等の停止制御を行うことができる。なお、この場合の遊技図柄５３と固有検出部６６ｃが幅方向に対応するようにしてもよいし、表示窓４７と検出手段５２との相対位置を考慮して周方向に同ピッチずらせて設けてもよい。
【００６１】
以上、本発明の実施形態について詳述したが、本発明はこれらの実施形態に限定されるものではなく、本発明の趣旨を逸脱しない範囲で種々の変更が可能である。例えば、検出手段５２には接触式、非接触式があるが、非接触式のものが望ましい。また検出部６６は検出手段５２の検出方式との関係で決まるものであり、検出手段５２に応じて適宜変更すればよい。検出手段５２が光学式の場合には、検出部６６は透過式、遮光式、反射式の何れかを採用すればよい。
【００６２】
リール体６２は光透過性の合成樹脂製が一般的であるが、リング状のリール帯６３を片持ち状に支持する場合には、リール体６２は光透過性のない材料を使用してもよい。またリール体６２は全周にわたって周壁７３を有する構造の他、リール帯６３の遊技図柄５３に対応する部分が開口状となった骨組み構造でもよい。
【００６３】
遮光性を有する非検出部６７を設ける場合、ユニット図柄の印刷時に検出部６６用の目印を印刷により設けておき、リール帯６３をリール体６２に巻き付けた後、そのリール帯６３の幅方向の一端部の外周に、その目印に合わせて遮光テープ等の帯状の遮光材を周方向に巻き付けて貼付してもよい。
【００６４】
リール帯６３はリール体６２の外周に貼着する他、リール体６２の外周に巻き付けて両端を接続した状態で貼着せずにリール体６２に止める程度でもよい。演出用の回転表示手段３５において、回転リール４９の回転指令はチャンスボタンの操作の他、所定の条件で自動的に回転リール４９が回転し始めるようにしてもよい。回転中の回転リール４９を停止させる場合には、回転開始から所定時間が経過した後に自動的に停止指令が出るようにしてもよいし、停止ボタンの操作で停止指令がでるようにしてもよい。
【００６５】
また実施形態では、左右に２個のリールユニット４４を配置した演出用の回転表示手段３５について例示しているが、そのリールユニット４４の数は１個でもよいし、３個以上でもよい。更にリールユニット４４を備えた回転表示手段３５は、パチンコ機の演出用の他、スロットマシン等の組み合わせ遊技機の回転表示用でもよい。
【符号の説明】
【００６６】
３５  回転表示手段
４９  回転リール
５３  遊技図柄
５２  検出手段
６２  リール体
６３  リール帯
６６  検出部
６７  非検出部
【図１】
2012034990.tif 000003
【図２】
2012034990.tif 000004
【図３】
2012034990.tif 000005
【図４】
2012034990.tif 000006
【図５】
2012034990.tif 000007
【図６】
2012034990.tif 000008
【図７】
2012034990.tif 000009
【図８】
2012034990.tif 000010
【図９】
2012034990.tif 000011
【図１０】
2012034990.tif 000012
【図１１】
2012034990.tif 000013
【図１２】
2012034990.tif 000014
【図１３】
2012034990.tif 000015
【図１４】
2012034990.tif 000016
【図１５】
2012034990.tif 000017
【図１６】
2012034990.tif 000018
【図１７】
2012034990.tif 000019
【図１８】
2012034990.tif 000020
【図１９】
2012034990.tif 000021
【図２０】
2012034990.tif 000022
【図２１】
2012034990.tif 000023
【図２２】
2012034990.tif 000024